(57)【特許請求の範囲】
【請求項１】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末であって、
前記受信信号の受信エラーを検出する検出手段と、
前記検出手段により受信エラーが検出された場合、前記指向性パターンとは異なるパターンを形成して送信信号を送信するよう制御する送信制御手段と
を備え、
前記送信制御手段は、
前記検出手段により受信エラーが検出された場合、前記複数のアンテナのうちアンテナ利得が最も高いアンテナを用いて無指向性のパターンを形成して送信信号を送信するよう制御する
ことを特徴とする移動通信端末。
【請求項２】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末であって、
前記受信信号の受信エラーを検出する検出手段と、
前記検出手段により受信エラーが検出された場合、前記指向性パターンとは異なるパターンを形成して送信信号を送信するよう制御する送信制御手段と
を備え、
前記移動通信端末は、さらに、
前記複数のアンテナ毎に受信信号の品質を測定し、品質の高いアンテナを選択する選択手段を備え、
前記送信制御手段は、
前記検出手段により受信エラーが検出された場合、前記選択手段により選択されたアンテナを用いて無指向性のパターンを形成して送信信号を送信するよう制御する
ことを特徴とする移動通信端末。
【請求項３】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末に用いられる通信方法であって、
前記受信信号の受信エラーを検出する検出ステップと、
前記検出ステップにより受信エラーが検出された場合、前記指向性パターンとは異なるパターンを形成して送信信号を送信するよう制御する送信制御ステップと
を含み、
前記送信制御ステップは、
前記検出ステップにより受信エラーが検出された場合、前記複数のアンテナのうちアンテナ利得が最も高いアンテナを用いて無指向性のパターンを形成して送信信号を送信するよう制御する
ことを特徴とする通信方法。
【請求項４】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末に用いられる通信方法であって、
前記受信信号の受信エラーを検出する検出ステップと、
前記検出ステップにより受信エラーが検出された場合、前記指向性パターンとは異なるパターンを形成して送信信号を送信するよう制御する送信制御ステップと
を含み、
前記通信方法は、さらに、
前記複数のアンテナ毎に受信信号の品質を測定し、品質の高いアンテナを選択する選択ステップを備え、
前記送信制御ステップは、
前記検出ステップにより受信エラーが検出された場合、前記選択ステップにより選択されたアンテナを用いて無指向性のパターンを形成して送信信号を送信するよう制御する
ことを特徴とする通信方法。
【請求項５】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末内のコンピュータに実行させるためのプログラムであって、
前記受信信号の受信エラーを検出する検出ステップと、
前記検出ステップにより受信エラーが検出された場合、前記指向性パターンとは異なるパターンを形成して送信信号を送信するよう制御する送信制御ステップと
をコンピュータに実行させ、
前記送信制御ステップは、
前記検出ステップにより受信エラーが検出された場合、前記複数のアンテナのうちアンテナ利得が最も高いアンテナを用いて無指向性のパターンを形成して送信信号を送信するよう制御する
ことを特徴とするプログラム。
【請求項６】
複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末内のコンピュータに実行させるためのプログラムであって、
前記受信信号の受信エラーを検出する検出ステップと、
前記検出ステップにより受信エラーが検出された場合、前記指向性パターンとは異なるパターンを形成して送信信号を送信するよう制御する送信制御ステップと
をコンピュータに実行させ、
前記プログラムは、さらに、
前記複数のアンテナ毎に受信信号の品質を測定し、品質の高いアンテナを選択する選択ステップを備え、
前記送信制御ステップは、
前記検出ステップにより受信エラーが検出された場合、前記選択ステップにより選択されたアンテナを用いて無指向性のパターンを形成して送信信号を送信するよう制御する
ことを特徴とするプログラム。
【発明の詳細な説明】
技術分野
本発明は、アダプティブアレイ方式のアンテナを備える移動通信端末に関する。
【０００１】
背景技術
近年、移動通信分野においては周波数の有効利用、通信品質の向上を目的としてアダプティブアレイ方式の利用が注目されている。アダプティブアレイ方式とは、複数のアンテナの信号の振幅と位相とを調整することにより、所望信号の到来方向に対する放射強度又は受信感度を強めて送受信を行う通信方式である。
【０００２】
アダプティブアレイ方式の移動通信システムにおいては、基地局側に複数のアンテナと制御機構とからなるアダプティブアレイアンテナを備え、基地局が移動通信端末の移動に追従して通信を行う技術が実現されている。
【０００３】
また最近では、チップアンテナといった小型化・軽量化したアンテナの開発により移動通信端末にもアダプティブアレイアンテナを備えることが考えられる。
【０００４】
ここで移動通信端末にアダプティブアレイアンテナを備えた場合における指向性パターンの制御について説明する。
【０００５】
移動通信端末は、例えばＰＨＳ（Ｐｅｒｓｏｎａｌ Ｈａｎｄｙｐｈ  ｏｎｅ Ｓｙｓｔｅｍ）の場合、ＴＤＤ（Ｔｉｍｅ Ｄｉｖｉｓｉｏｎ  Ｄｕｐｌｅｘ）方式によりＴＤＤフレーム単位に送信と受信とを交互に繰り返しており、フレームの受信時に、基地局よりプリアンブルやユニークワード等の既知の信号列が送信されてくるので、これらの信号列を複数のアンテナより受信し、受信したアンテナ毎の信号を適当なウェイトベクトルにより重み付け合成し、その結果得られる合成信号と予め記憶している参照信号（プリアンブルやユニークワード等を示す信号）との誤差が最小となるようウェイトベクトルを修正することにより最適なウェイトベクトルを算出する。そして算出したウェイトベクトルで複数のアンテナより受信される各信号を重み付け合成することにより、基地局からの所望の信号を受信する。送信時においては、送信信号を複数のアンテナに分配し、受信時に算出したウェイトベクトルで重み付けして送信することにより基地局に送信信号を送信する。なおここにおいて所定の方向に受信感度または放射強度を高めて受信又は送信を行うことを、指向性パターンを形成して受信又は送信を行うという。
【０００６】
ところで上記移動通信端末においては、弱電界や干渉、同期はずれ等により基地局からの信号を正しく受信できない場合、そのフレームの送信時における送信信号が通信対象の基地局に到達されなくなるという問題がある。
【０００７】
より詳しくは、移動通信端末は、基地局からの信号を正しく受信できない場合、正しく受信できていない信号を用いてウェイトベクトルを算出し、そのウェイトベクトルを用いて指向性パターンを形成するので、その指向性パターンは通信対象の基地局を指向せず、送信信号は基地局に到達しなくなる。一方、通信対象の基地局は、移動通信端末からの信号が到達しないので、移動通信端末を指向する指向性パターンを形成することができなくなる。その結果、移動通信端末と基地局とは、相互の指向性パターンを形成することができなくなって互いの信号が到達しなくなり、チャネル切替えを行わない限り、通信不能となってしまう。
【０００８】
また誤った値のウェイトベクトルを用いることにより、他の基地局や他の移動通信端末の方向に放射強度を高めた指向性パターンが形成されて他の移動通信端末や移動通信端末に干渉を与えるという問題もある。
【０００９】
上記問題に鑑みて本発明は、通信対象の基地局からの信号を正しく受信できない場合においても、他に干渉を与えることなく目的の基地局に対して送信信号を到達させることができる移動通信端末、通信方法及びプログラムを提供することを目的とする。
【００１０】
発明の開示
上記目的を達成する移動通信端末は、複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末であって、前記受信信号の受信エラーを検出する検出手段と、前記検出手段により受信エラーが検出された場合、前記指向性パターンとは異なるパターンを形成して送信信号を送信させる送信制御手段から構成され、前記送信制御手段は、前記検出手段により受信エラーが検出された場合、前記複数のアンテナのいずれか１つを用いて無指向性のパターンを形成して送信信号を送信するよう制御する。
【００１３】
この構成によれば、受信時に形成された、所望信号の到来方向を指向しない指向性パターンと同じ指向性パターンを形成して送信信号を送信する場合と比較して、基地局に送信信号が到達する確率を高くすることができる。
【００１４】
また複数のアンテナを有し、受信時に目的の受信信号を受信するための指向性パターンを形成して受信信号を受信し、送信時には受信時と同一の指向性パターンを形成して送信信号を送信するアダプティブアレイ方式の移動通信端末であって、前記受信信号の受信エラーを検出する検出手段と、前記検出手段により受信エラーが検出された場合、前記指向性パターンとは異なるパターンを形成して送信信号を送信させる送信制御手段から構成され、前記送信制御手段は、前記検出手段により受信エラーが検出された場合、前記複数のアンテナのうちアンテナ利得が最も高いアンテナを用いて無指向性のパターンを形成して送信信号を送信するよう制御する構成にしてもよい。
【００１５】
この構成によればアンテナ利得が最も高いアンテナから送信される信号の到達距離は、アンテナ利得が低いアンテナよりも長いので、目的の基地局への送信信号の到達確率をより高くすることができる。
【００１６】
また前記移動通信端末は、さらに、前記複数のアンテナ毎に受信信号の品質を測定し、品質の高いアンテナを選択する選択手段を備え、前記送信制御手段は、前記検出手段により受信エラーが検出された場合、前記選択手段により選択されたアンテナを用いて無指向性のパターンを形成して送信信号を送信するよう制御する構成にしてもよい。
【００１７】
この構成によれば受信品質の高いアンテナを用いて送信する場合、受信品質の低いアンテナを用いて送信する場合よりも目的の基地局への送信信号の到達確率を高くすることができる。
発明を実施するための最良の形態
以下、本発明の実施形態の移動通信端末について図面を用いて説明する。
（第１実施形態）
第１図は、本発明の第１実施形態の移動通信端末の主要部の構成を示すブロック図である。
【００１８】
同図において移動通信端末１００は、アンテナ１０１、１０２、受信回路１２４、１２５、切替スイッチ１０３、１０４、乗算器１０５、１０６、加算器１０７、復調回路１０８、エラー検出回路１０９、再変調回路１１０、参照信号メモリ１１１、スイッチ１１２、受信ウェイトベクトル計算部１１４、ウェイトベクトルメモリ１１５、送信制御部１１６、変調回路１１７、乗算器１１８、１１９、及びスイッチ１２０より構成される。
【００１９】
アンテナ１０１は、棒状のロッドアンテナ、アンテナ１０２は、移動通信端末１００内部の基板上に取り付けられたチップアンテナである。
【００２０】
切替スイッチ１０３、１０４は、送信と受信とを切替えるスイッチである。
【００２１】
受信回路１２４、１２５は、アンテナ１０１、１０２より受信される高周波の信号を低周波の信号に変換する。なお、移動通信端末１００は、ＴＤＤ方式のＴＤＤフレーム毎に時分割で送信と受信とを交互に行うものとする。
【００２２】
乗算器１０５、１０６は、受信回路１２４、１２５からの各信号に、受信ウェイトベクトル計算部１１４より出力されるウェイトベクトルＷ１、Ｗ２を乗じることにより重み付けして加算器１０７に出力する。
【００２３】
加算器１０７は、乗算器１０５及び１０６により重み付けされた信号を加算して復調回路１０８に出力する。
【００２４】
復調回路１０８は、加算器１０７による加算後の信号を復調し、復調結果の受信ビット列を出力する。
【００２５】
再変調回路１１０は、復調回路１０８からの受信ビット列を、シンボル波形のデータに再変調する。
【００２６】
参照信号メモリ１１１は、参照信号テーブルを保持する。参照信号テーブルは、参照信号を表すシンボル波形のデータを記憶する。参照信号は、基地局から移動通信端末１００に送られてくる信号中の所定の位置に含まれる既知の固定ビットパターンである。例えばＰＨＳ規格の場合、スロット構成中のランプビット（Ｒａｍｐ ｂｉｔｓ）、スタートシンボル（Ｓｔａｒｔ Ｓｙｍｂｏｌ）、プリアンブル（Ｐｒｅａｍｂｌｅ）、ユニークワード（Ｕｎｉｑｕｅ Ｗｏｒｄ）が参照信号となり得る。
【００２７】
カウンタ１１３は、受信タイムスロットにおいて先頭から末尾のシンボルまでシンボルタイミングに同期してシンボル数をカウントする。このカウント値は、固定ビットパターンのシンボル期間とそうでない期間とを区別するために利用される。
【００２８】
スイッチ１１２は、カウンタ１１３のカウント値が固定ビットパターンのシンボル期間を示すときは、参照信号メモリ１１１から読み出される参照信号を表すシンボル波形のデータを選択し、それ以外の期間では再変調回路１１０からのシンボル波形のデータを選択して、それぞれのシンボル波形のデータを受信ウェイトベクトル計算部１１４に出力する。
【００２９】
受信ウェイトベクトル計算部１１４は、受信回路１２４、１２５からの各信号を重み付け加算した結果と、スイッチ１１２からのシンボル波形データとの誤差を最小にするようにウェイトベクトルＷ１、Ｗ２をシンボル毎に算出する。
【００３０】
ウェイトベクトルメモリ１１５は、ＲＡＭ、ＲＯＭを含み、受信ウェイトベクトル計算部１１４により算出されたウェイトベクトルＷ１、Ｗ２を記憶する。
【００３１】
エラー検出回路１０９は、復調回路１０８による復調結果の受信ビット列から受信エラーを検出する。より詳しくは復調回路１０８は、復調結果の受信ビット列のユニークワード部分と予め記憶しているユニークワードとを比較して所定ビット（例えば２ビット）以上誤っている場合及びＣＲＣ（Ｃｙｃｌｉｃ Ｒｅｄｕｎｄａｎｃｙ Ｃｈｅｃｋ）エラーがある場合の少なくとも一方を検出したときを受信エラーとし、送信制御部１１６に通知する。
【００３２】
変調回路１１７は、送信スロットにおいて送信すべきビット列を変調して送信信号（シンボルデータ）を生成する。
【００３３】
送信制御部１１６は、変調回路１１７より出力される送信信号に重み付けするために、ウェイトベクトルＷ１、Ｗ２をウェイトベクトルメモリ１１５より読み出して乗算器１１８、１１９に出力する。
【００３４】
ただし送信制御部１１６は、エラー検出回路１０９より受信エラーの検出が通知されているときは、当該フレームの送信時において乗算器１１８、１１９へのウェイトベクトルＷ１、Ｗ２の供給を停止し、スイッチ１２０のスイッチを切断することにより、変調回路１１７からの送信信号が重み付けされずにアンテナ１０１より出力されるように制御する。この制御により受信エラーが検出されたフレームにおいては、その送信時には送信信号がオムニ指向性、つまり無指向性のパターンにより送信される。ここにおいて無指向性のパターンは、アンテナ１０１から全方向に対して略等しい放射強度をもつパターンであり、水平方向に略円形に広がっているものとする。なお、受信エラーが検出された次のフレームにおいて受信エラーが検出されない場合には、送信制御部１１６は、乗算器１１８、１１９にウェイトベクトルＷ１、Ｗ２を供給して送信信号の重み付けを行い、スイッチ１２０を導通することにより、アンテナ１０１及びアンテナ１０２を用いて、通信対象の基地局の方向に放射強度を高めた指向性パターンを形成して送信信号を送信する。
【００３５】
乗算器１１８、１１９は、それぞれ変調回路１１７から入力される送信信号に、送信制御部１１６からのウェイトベクトルＷ１、Ｗ２を乗じることにより重み付けして送信回路１２６、１２７に出力する。
【００３６】
送信回路１２６、１２７は、乗算器１１８、１１９からの重み付けされた信号を高周波の信号に変換してアンテナ１０１、１０２に出力する。
【００３７】
以上のように構成された移動通信端末１００について、以下にその動作を説明する。
【００３８】
第２図は、移動通信端末１００が基地局との通信中に行う動作を示すフローチャートである。
【００３９】
同図において移動通信端末１００は、通信中においてステップ２０１からステップ２１３の処理をフレーム単位に繰り返す。
【００４０】
基地局と移動通信端末１００との通信中において受信スロットタイミングになると、受信ウェイトベクトル計算部１１４は、基地局の信号に対して受信感度の高い指向性パターン形成用のウェイトベクトルＷ１、Ｗ２を算出し、乗算器１０５、１０６及び加算器１０７が重み付け合成することにより基地局の方向に受信感度を高めた指向性パターンを形成して、基地局からの信号をアレイ受信する（ステップ２０３）。復調回路１０８は、重み付け合成された信号を復調してエラー検出回路１０９に出力し、エラー検出回路１０９は、復調結果の受信ビット列中からユニークワードエラー及びＣＲＣエラーを検出する。
【００４１】
エラー検出回路１０９が受信エラーを検出しない場合（ステップ２０５；不検出）、同フレームの送信スロットタイミングになると、変調回路１１７は送信ビット列を変調して送信信号を生成し（ステップ２０６）、送信制御部１１６は、乗算器１１８、１１９にウェイトベクトルＷ１、Ｗ２による送信信号の重み付けを行わせる（ステップ２０７）。この重み付けによりアンテナ１０１、１０２からは、基地局に対して放射強度の高い指向性パターンが形成されて信号が送信される（ステップ２０８）。
【００４２】
一方、エラー検出回路１０９は、ユニークワードエラー及びＣＲＣエラーの少なくとも一方を検出すると、送信制御部１１６に受信エラー検出を通知する（ステップ２０９）。
【００４３】
送信制御部１１６は、受信エラー検出が通知されると、スイッチ１２０を切断し（ステップ２１０）、乗算器１１８、１１９に重み付けを行わせないことにより、変調回路１１７により変調された送信信号をアンテナ１０１から送信させる（ステップ２１１、ステップ２１２）。これによりアンテナ１０１は、無指向性のパターンが形成してオムニ送信する。
【００４４】
以上のようにして移動通信端末１００は、フレーム単位でアレイ受信して、受信エラーがあるか否かを監視し、受信エラーを検出しない場合にはアレイ送信し、受信エラーを検出した場合にはオムニ送信する。
【００４５】
第３図を用いて説明すると、移動通信端末１００は、フレーム３０１、３０２、３０３毎に基地局に対する受信及び送信を繰り返し、フレーム３０１の受信スロット３０４のタイミングにおいては基地局を指向するウェイトベクトルを算出して基地局からの信号をアレイ受信し、当該アレイ受信において受信エラーを検出しなかった場合には、対応する送信スロット３０５のタイミングにおいて受信スロット３０４で算出したウェイトベクトルを用いてアレイ送信する。フレーム３０２の受信スロット３０６のタイミングにおいては基地局を指向するウェイトベクトルを算出して基地局からの信号をアレイ受信するが、当該アレイ受信において受信エラーを検出すると、対応する送信スロット３０７のタイミングにおいて無指向性のパターンによりオムニ送信する。さらにフレーム３０３の受信スロット３０８のタイミングにおいては基地局を指向するウェイトベクトルを算出して基地局からの信号をアレイ受信し、当該アレイ受信において受信エラーを検出しないので、対応する送信スロット３０９のタイミングにおいては受信スロット３０８で算出したウェイトベクトルを用いてアレイ送信する。
【００４６】
このように移動通信端末１００は、受信エラーが検出されたか否かに応じてオムニ送信とアレイ送信とを切替える。
【００４７】
第４図は、移動通信端末１００が受信エラーを検出した場合にオムニ送信することによる効果を説明するための図である。
【００４８】
同図において移動通信端末１００は、通信中の基地局７０１からの信号のアレイ受信に失敗して誤った指向性パターン７０４を形成したとすると、基地局７０１からの信号が正しく復調されず、受信エラーを検出するので、対応する送信時においては無指向性のパターン４００を形成してオムニ送信する。このオムニ送信により、受信時と同じ指向性パターン７０４を形成して送信する場合と比べると、送信信号が基地局７０１に到達する確率が高くなるという効果があり、またパターン４００は他の基地局７０２に対して指向性が高くないので他の基地局７０２の通信を妨害しないという効果がある。
【００４９】
さらに移動通信端末１００は、受信エラーによりオムニ送信を行った後のフレームにおいて基地局からの信号を正しく復調できて受信エラーを検出しなかった場合には、オムニ送信からアレイ送信に戻して基地局との通信を続けることができるという効果がある。
【００５０】
もし仮に従来の移動通信端末のように、受信エラーを検出してもオムニ送信を行わずに、指向性パターン７０４を形成してアレイ送信を行ったとすると、指向性パターン７０４は、目的の基地局７０１にヌル点を向け、他の基地局７０２の方向に指向性が高いので、目的の基地局７０１に送信信号が到達しないだけでなく、基地局７０２に送信信号が到達して基地局７０２における通信を妨害するという不具合が起こる。
【００５１】
本発明の移動通信端末１００においてはこのような不具合は起こらない。
（第２実施形態）
以下、本発明の第２実施形態の移動通信端末について説明する。
【００５２】
第５図は、第２実施形態の移動通信端末の構成を示すブロック図である。
【００５３】
同図において移動通信端末２００は、第１図に示す移動通信端末１００のブロック図に対して、受信レベル測定部１２３を備え、スイッチ１２０の替わりにスイッチ１２１及び１２２を備え、送信制御部１１６の替わりに送信制御部１２９を備える点が異なっている。その他、第１図のブロック図と同一符号の構成要素については同じ構成であるので説明を省略し、以下、異なる点を中心に説明する。
【００５４】
受信レベル測定部１２３は、受信回路１２４、１２５からの信号それぞれの受信レベルＲ１、Ｒ２を測定してウェイトベクトルメモリ１２８に出力する。受信レベルＲ１、Ｒ２はアンテナ１０１、１０２それぞれにおける受信品質を表す。
【００５５】
ウェイトベクトルメモリ１２８は、ウェイトベクトルメモリ１１５と同様、ウェイトベクトルＷ１、Ｗ２を記憶する他、受信レベル測定部１２３より出力される受信レベルＲ１、Ｒ２を記憶する。ここにおいてウェイトベクトルメモリ１２８は、過去数フレーム分の受信レベルＲ１、Ｒ２を記憶してもよいし、受信エラーが検出されたフレームの受信レベルＲ１、Ｒ２を記憶してもよいし、エラーが検出されたフレームを除く過去数フレーム分の受信レベルＲ１、Ｒ２を記憶してもよい。
【００５６】
スイッチ１２１、１２２は、アレイ送信の際は乗算器１１８、１１９からの重み付けされた信号それぞれをアンテナ１０１、１０２に導通し、オムニ送信の際は送信制御部１２９の制御によりいずれか一方が切断される。これにより片方のスイッチのみが変調回路１１７からの送信信号をアンテナに導通する。
【００５７】
送信制御部１２９は、エラー検出回路１０９により受信エラー検出が通知されない場合のアレイ送信については第１実施形態の送信制御部１１６と同様であるが、受信エラー検出が通知された場合のオムニ送信については、以下に説明するように、受信レベルの高い方のアンテナよりオムニ送信する制御を行う。
【００５８】
すなわち、送信制御部１２９は、エラー検出回路１０９から受信エラー検出が通知されると、ウェイトベクトルメモリ１２８から受信レベルＲ１、Ｒ２を読み出して２つの値の大小を比較し、スイッチ１２１、１２２のうち受信レベルが低い側のスイッチを切る。すなわちアンテナ１０１側の受信レベルＲ１がＲ２よりも低い場合はスイッチ１２１のスイッチを切り、反対に、アンテナ１０２側の受信レベルＲ２がＲ１よりも低い場合はスイッチ１２２のスイッチを切る。ここにおいてウェイトベクトルメモリ１２８に数フレーム分の受信レベルＲ１及びＲ２が記憶されている場合には、数フレーム分の総和平均をそれぞれ算出して比較するようにしてもよい。
【００５９】
さらに送信制御部１２９は、乗算器１１８、１１９にウェイトベクトルＷ１、Ｗ２を供給しないことにより重み付けが行われないようにする。
【００６０】
こうして受信エラーが発生したときは、受信レベルの低い側のアンテナに対応するスイッチが切られて受信レベルが高い側のアンテナに対応するスイッチのみ導通され、変調回路１１７より出力される送信信号が導通されたスイッチを介して受信レベルの高い方のアンテナから送信される。ここにおいて送信信号は１つのアンテナより出力されるので、形成される指向性パターンはほぼ円形の無指向性となる。
【００６１】
図６は、移動通信端末２００の動作を示すフローチャートである。
【００６２】
同図において第２図と同じステップ番号は同じ処理を示す。
【００６３】
受信スロットタイミングにおいて受信レベル測定部１２３は、アンテナ１０１、１０２それぞれの受信レベルＲ１、Ｒ２を測定してウェイトベクトルメモリ１２８に格納し（ステップ６０１）、その後第１実施形態と同様に受信ウェイトベクトル計算部１１４がウェイトベクトルＷ１、Ｗ２を算出し、算出されたウェイトベクトルＷ１、Ｗ２を用いて乗算器１０５、１０６及び加算器１０７がアレイ受信を行い（ステップ２０４）、合成された受信信号を復調回路１０８が復調する（ステップ２０４）。
【００６４】
エラー検出回路１０９は、復調結果の受信ビット列について受信エラーを検出すると（ステップ２０５）、送信制御部１２９に受信エラー検出を通知する（ステップ２０９）。
【００６５】
送信制御部１２９は、受信ウェイトベクトル計算部１１４に記憶されている受信レベルＲ１、Ｒ２を比較し（ステップ６０２）、受信レベルの高い側のアンテナをオムニ送信用のアンテナとして選択する（ステップ６０３）。そしてスイッチ１２１、１２２のうち、選択しないアンテナ側のスイッチを切る（ステップ６０４）。
【００６６】
変調回路１１７は、送信スロットタイミングにおいて、送信ビット列を送信信号に変換して出力する。送信信号は、乗算器１１８、１１９において重み付けが行われず、選択したアンテナ側よりオムニ送信される（ステップ６０５）。
【００６７】
以上のように構成することにより第２実施形態の移動通信端末２００は、受信エラーが発生したフレームにおいては、受信レベルが高い方、すなわち受信品質が高い方のアンテナを用いてオムニ送信する。受信レベルが高い方のアンテナを用いて送信することにより送信自のアンテナ利得は高くなり、受信エラー発生時においても目的の基地局に送信信号が到達する確率がより高くなるという効果がある。
【００６８】
以上の本発明の移動通信端末について実施形態に基づいて説明したが、上記実施形態に限らず、以下のようにしてもよい。
（１）アンテナ１０１及びアンテナ１０２は、それぞれロッドアンテナ、チップアンテナとしているが、これに限らず、他の種類のアンテナでもよい。
（２）第２実施形態においては、オムニ送信に用いるアンテナを選択するためにアンテナ毎の受信レベルを測定しているが、受信レベルを測定する替わりにＣ／Ｎ比（ｃａｒｒｉｅｒ-ｔｏ-ｎｏｉｓｅ ｒａｔｉｏ：搬送波電力対雑音電力比）を測定してもよい。
（３）第１実施形態においては、受信エラー検出時のオムニ送信用のアンテナとしてロッドアンテナを用いるよう構成されているが、その替わりにチップアンテナを用いるよう構成してもよい。
【００６９】
またアンテナ利得が異なる複数のアンテナを備える移動通信端末において、受信エラー検出時には最もアンテナ利得の高いアンテナを用いて送信信号をオムニ送信するよう構成してもよい。アンテナ利得の高いアンテナよりオムニ送信すれば、他のアンテナよりオムニ送信する場合に比べて送信信号の到達距離を大きくすることができるので目的の基地局への到達確率をより高くすることができる。
（４）第１及び第２実施形態においては受信エラー検出時には無指向性のパターンを形成して送信を行う構成であるが、無指向性のパターンに限らず、受信時に形成された指向性パターンとは異なるパターンを形成して送信するよう構成してもよい。例えば、受信エラー検出時には、受信時の指向性パターンの指向方向以外の方向に放射強度を強くした部分を少なくとも含む指向性パターンを形成するようにしてもよいし、受信時の指向性パターンのメインローブの幅を広げた指向性パターンを形成するようにしてもよい。これらの指向性パターンを形成するためのウェイトベクトルは、受信時のウェイトベクトルを用いて公知技術により算出することができる。
（５）本発明は、移動通信端末１００及び移動通信端末２００それぞれの各構成要素の動作手順を、通信方法の発明としてもよい。
（６）また、移動通信端末１００及び移動通信端末２００それぞれの各構成要素の動作手順を、汎用のコンピュータ又はプログラム実行機能を有する機器等に実行させるためのプログラムにしてもよいし、記録媒体に記録し又は各種通信路等を介して、流通させ頒布することもできる。このような記録媒体にはＩＣカード、光ディスク、フレキシブルディスク、ＲＯＭ等がある。
（７）上記実施の形態及び上記（１）〜（６）をそれぞれ組み合わせて実施してもよい。
【００７０】
産業上の利用可能性
携帯端末、携帯電話機、ＰＨＳ等の移動通信端末に備えられたアダプティブアレイアンテナの通信制御機構として有用である。
【図面の簡単な説明】
第１図は、本発明の第１実施形態の移動通信端末の主要部の構成を示すブロック図である。
第２図は、移動通信端末１００が基地局との通信中に行う動作を示すフローチャートである。
第３図は、移動通信端末１００の動作を説明する図である。
第４図は、移動通信端末１００が受信エラーを検出した場合にオムニ送信することによる効果を説明するための図である。
第５図は、第２実施形態の移動通信端末の構成を示すブロック図である。
第６図は、移動通信端末２００の動作を示すフローチャートである。
【図１】
0003902549.tif 000002
【図２】
0003902549.tif 000003
【図３】
0003902549.tif 000004
【図４】
0003902549.tif 000005
【図５】
0003902549.tif 000006
【図６】
0003902549.tif 000007